【手続補正書】
【提出日】平成16年6月4日(2004.6.4)
【手続補正１】
【補正対象書類名】明細書
【補正対象項目名】０００２
【補正方法】変更
【補正の内容】
【０００２】
【従来の技術】
インクジェット式プリンタ等の記録装置では、インクを吐出するノズルアレイを備えた記録ヘッド部がキャリッジに搭載され、このキャリッジが支持部材であるキャリッジガイド軸に沿って主走査方向へ往復移動することにより、被記録材への印刷が行われる。このキャリッジの主走査方向における動作は、前記キャリッジガイド軸と平行に（すなわち、主走査方向に）テープ状に設けられたキャリッジの位置検出手段であるリニヤスケールを基準にして制御される。すなわち、リニヤスケールにはスリットが等間隔で形成されており、通過スリット数を光学的に検出する光学検出部とからなるリニヤエンコーダユニットにより行われる。
【手続補正２】
【補正対象書類名】明細書
【補正対象項目名】０００６
【補正方法】変更
【補正の内容】
【０００６】
【課題を解決するための手段】
上記課題を解決するため、請求項１に記載の記録装置の発明は、被記録材への記録を行う記録ヘッド部を備え、主走査方向に往復移動可能なキャリッジと、該キャリッジを支持し、かつ主走査方向への移動を案内するキャリッジガイド軸と、前記キャリッジガイド軸を軸支する構造部材であるサイドフレームと、前記キャリッジの主走査方向における移動位置検出手段であるリニヤスケールとを備え、前記キャリッジガイド軸を変位させる機構を有する記録装置において、前記リニヤスケールを、前記キャリッジガイド軸の変位に連動して変位可能に取り付けたことを特徴とする。
【手続補正３】
【補正対象書類名】明細書
【補正対象項目名】０００７
【補正方法】変更
【補正の内容】
【０００７】
この特徴によれば、前記リニヤスケールを、前記キャリッジガイド軸の変位に連動して変位可能に取り付けたため、ＰＧ調整のためにキャリッジを上下移動させた場合には、リニヤスケールもキャリッジと同調して上下に変位する。従って、キャリッジに対するリニヤスケールの相対的な位置は変化することがなく、キャリッジの主走査方向における位置検出の精度は損なわれることがない。
【手続補正４】
【補正対象書類名】明細書
【補正対象項目名】００１１
【補正方法】変更
【補正の内容】
【００１１】
この特徴によれば、前記保持具に設けられた板バネにリニヤスケールを取り付けたため、テープ状のリニヤスケールは板バネにより付勢され、張力が付与された状態で保持され、主走査方向におけるキャリッジの位置制御の正確性が確保できる。
【手続補正５】
【補正対象書類名】明細書
【補正対象項目名】００２０
【補正方法】変更
【補正の内容】
【００２０】
【発明の実施の形態】
以下、図１から図６に基づいて、本発明の実施の形態を説明する。  
図１は、保持具１０を装着した本発明に係る記録装置の一実施態様の要部斜視図であり、図２は、図１の保持具１０周辺の要部断面図である。
【手続補正６】
【補正対象書類名】明細書
【補正対象項目名】００２２
【補正方法】変更
【補正の内容】
【００２２】
本発明において保持具１０の形状は、キャリッジガイド軸２とリニヤスケール４とを連動させることが可能な限り任意であるが、この態様では平板状の部材を使用しており、やや幅広に形成した下部においてキャリッジガイド軸２と係合し、上部にリニヤスケール４の取り付け部１３を設け、両部位の中間は略垂直に下方から上方へ立ち上がり、サイドフレーム１の壁面と面で当接する立ち上がり部１２を有している。
【手続補正７】
【補正対象書類名】明細書
【補正対象項目名】００２６
【補正方法】変更
【補正の内容】
【００２６】
リニヤスケール４の取り付け部１３は、下方から立ち上がるように装着された保持具１０の上部において、保持具１０の平板面に対し略直角をなすように（すなわち、テープ状のリニヤスケール４と平行になるように）折り曲げて形成した部分であり、当該折り曲げて設けた取り付け部の一部分をさらに略直角に２回折り曲げることによって、いわゆるフック形状のリニヤスケール４係合用の鉤部１４を形成している。この鉤部１４を、リニヤスケール４端部の係合用穴に引っ掛けるようにして、リニヤスケール４を取りつけている。
【手続補正８】
【補正対象書類名】明細書
【補正対象項目名】００２７
【補正方法】変更
【補正の内容】
【００２７】
図３は同じ実施態様の記録装置における、図１とは反対側のサイドフレーム１部分に装着した保持具１０の状態を示す要部斜視図である。保持具１０の基本的な構成は、図１および図２と同様であり、平板状の部材を用いて形成され、下部にサイドフレーム１と離間する離間形状部１１（こちらの側では、断面略コの字形である）が設けられ、この部分でキャリッジガイド軸２と係合している。図３では図１と異なり、リニヤスケール４は保持具１０に直接取りつけるのではなく、保持具１０に装着した板バネ２０に取り付けている。すなわち、保持具１０の中央付近には、開口穴が形成されており、この開口穴に板バネ２０が挿着されている。
【手続補正９】
【補正対象書類名】明細書
【補正対象項目名】００２８
【補正方法】変更
【補正の内容】
【００２８】
この板バネ２０は、下部において図示しない手段によって保持具１０に係止されており、キャリッジガイド軸２および保持具１０と同じ軌跡で上下に変位可能に取り付けられている。板バネ２０の上部には、板バネ２０の平板面に対し略直角をなすように（すなわち、テープ状のリニヤスケール４と平行になるように）折り曲げて形成したリニヤスケール４の取り付け部が設けてあり、図１のリニヤスケール４の取り付け部１３と同様に、リニヤスケール４取り付け用の鉤部を形成してあり、この鉤部をリニヤスケール４端部の係合用穴に引っ掛けるようにして、リニヤスケール４を取りつけている。
【手続補正１０】
【補正対象書類名】明細書
【補正対象項目名】００３０
【補正方法】変更
【補正の内容】
【００３０】
図３の保持具１０の上部は、保持具１０の平板面に対し略直角をなすように（すなわち、テープ状のリニヤスケール４と平行になるように）折り曲げることにより、リニヤスケール４の高さ方向の位置決め部１５を設けてある。当該折り曲げて設けた位置決め部１５には、その一部分をさらに略直角に折り曲げることによって突片１６が形成され、この突片１６をリニヤスケール４に設けた高さ位置決め用穴に挿入することにより、上下位置がずれないようにリニヤスケール４の高さを規定できるようにしている。
【手続補正１１】
【補正対象書類名】明細書
【補正対象項目名】００３４
【補正方法】変更
【補正の内容】
【００３４】
本発明に係る記録装置に使用した偏心機構３０は、図５および図６に示すように、キャリッジガイド軸２（キャリッジ）の上下位置を変位させてＰＧ調整を行うためのＰＧ調整ブッシュ３１に加え、キャリッジの平行度を調整するための平行度調整ブッシュ３２を備えている。サイドフレーム１には、平行度調整ブッシュ３２の装着用穴部４２が設けられており、平行度調整ブッシュ３２がこの装着用穴部４２に回転可能に嵌合されている。また、平行度調整ブッシュ３２の内部には、ＰＧ調整ブッシュ３１が挿着されている。
【手続補正１２】
【補正対象書類名】明細書
【補正対象項目名】００３５
【補正方法】変更
【補正の内容】
【００３５】
内側のＰＧ調整ブッシュ３１は、キャリッジガイド軸２の断面略Ｄ字形の小径軸３を軸支しており、外側の平行度調整ブッシュ３２とは独立して回動可能な状態で当接している。ＰＧ調整用の操作レバー（図示せず）によって、ＰＧ調整ブッシュ３１に軸支されたキャリッジガイド軸２は回転しつつ上下に変位する。すなわち、前記軸支部はＰＧ調整ブッシュ３１の中心から外れた位置に設けてあるため、ＰＧ調整ブッシュ３１と小径軸３との回転中心が相違する結果、外側の平行度調整ブッシュ３２を固定した状態で操作レバーを揺動すると、ＰＧ調整ブッシュ３１に軸支されたキャリッジガイド軸２は回転しつつ変位し、キャリッジガイド軸２を上下に移動させることが可能になる。また、平行度調整ブッシュ３２は、レバーを介してサイドフレーム１の他の部位において係止手段４３（ここではネジ）により係止されており、ＰＧ調整ブッシュ３１の操作レバーを固定した状態で、この係止部３３の係止手段であるネジ４３を緩めて平行度調整ブッシュ３２を回転させることにより、キャリッジの平行度調整を行うことができる。
【手続補正１３】
【補正対象書類名】明細書
【補正対象項目名】００３７
【補正方法】変更
【補正の内容】
【００３７】
そして、第１の偏心孔１２３が符号ｂで示した方向に押しつけられることで、非常に薄い板状の壁構造である縮径部１２４は、該縮径部１２４を含めた平行度調整ブッシュ３２がプラスチック等の柔らかい素材で形成されていることから、符号ｄで示した方向に押しつぶされて変形し、装着用穴部４２の符号ｆで示した辺に沿って撓んだ状態になり、第１の偏心孔１２３を縮径する。これにより、ＰＧ調整ブッシュ３１は、縮径部１２４に押されて第１の偏心孔１２３に押しつけられ、ＰＧ調整ブッシュ３１のガタツキを防止することになる。
【手続補正１４】
【補正対象書類名】明細書
【補正対象項目名】００３９
【補正方法】変更
【補正の内容】
【００３９】
図６は、偏心機構３０の正面図である。記録装置には、偏心機構３０が、キャリッジガイド軸２の両端部にそれぞれ設けられている。また、偏心機構３０のＰＧ調整ブッシュ３１は、被記録材と記録ヘッドのヘッド面との間のギャップを変更するためにＰＧ調整ブッシュ３１を回転させる回転力を伝達可能な形状を有している。従って、偏心機構３０は、図６に仮想線で示したように、ＰＧ調整ブッシュ３１が回転することで、被記録材と記録ヘッドのヘッド面との間のギャップが変更される。
【手続補正１５】
【補正対象書類名】明細書
【補正対象項目名】００４３
【補正方法】変更
【補正の内容】
【００４３】
【発明の効果】
本発明によれば、リニヤスケールを、キャリッジの変位に連動して変位可能に取り付けたため、ＰＧ調整のためにキャリッジを変位させても、リニヤスケールはキャリッジと同調して変位する。従って、キャリッジに対するリニヤスケールの相対的な位置は変化せず、キャリッジの主走査方向の位置制御の精度が損なわれることがない。
【手続補正１６】
【補正対象書類名】明細書
【補正対象項目名】図６
【補正方法】変更
【補正の内容】
【図６】
偏心機構の正面図である。